(57)【特許請求の範囲】
【請求項１】
モップを取り付けるヘッド(1)を、柄(5,6)の端部に備えたモップ保持具において、
前記ヘッド(1)は、弾性板状のモップ保持片(11)と、該モップ保持片(11)の一端から湾曲状部分(13a)を介して上方へ湾曲状に反転して一定長さ延びる腕部(13)とから、全体として鉤状に形成し、
前記モップ保持片(11)と前記腕部(13)との間の内部空間に引金状レバー(15)を配置すると共に、前記腕部(13)の前記湾曲状部分(13a)近傍の下面に、支持壁(34)及び支持ピン(30)を介して前記引金状レバー(15)を回動可能に支持し、
該引金状レバー(15)は、モップ抜止め用の係止爪(32)を有すると共にばね(41)でモップ保持片(11)側に付勢され、モップ挿入方向にばねに抗して回動可能であり、前記引金状レバー(15)を前記腕部(13)側へ引くことにより、前記モップ保持片(11)側から離れるように構成されていることを特徴とする柄付きモップ保持具。
【請求項２】
請求項１に記載のモップ保持具において、
前記腕部(13)の先端部には回動可能な継手(3)を介して前記柄(5,6)を連結し、
前記継手(3)の回動範囲を前記ヘッド(1)の前記湾曲状部分側(13)に倒伏した倒伏位置から前記モップ保持片(11)に対する仰角が６０°〜８０°程度に起立した起立位置の間で規制するストッパー機構(23,28)を設けると共に、上記回動範囲内において前記継手(3)を一定の圧力で停止保持できる停止保持機構(21,26,27)を設けている柄付きモップ保持具。
【請求項３】
請求項２記載の柄付きモップ保持具において、
前記柄(5,6)の回動軸芯を、前記モップ保持片(11)の先端からモップ保持片全長の概ね１／２〜２／３の範囲内に位置させると共に、回動軸芯と前記モップ保持片(11)の基端を結ぶ線と前記モップ保持片(11)との為す角度が、４５°以内となるように位置させていることを特徴とする柄付きモップ保持具。
【発明の詳細な説明】
【０００１】
【発明の属する技術分野】
本願発明は、モップを取り付けるヘッドと柄を備えたモップ保持具に関し、特に、ヘッドとして、弾性板状のモップ保持片と、該モップ保持片の一端から湾曲状に反転して一定長さ延びる腕部とを備え、全体として鉤状に形成したモップ保持具に関する。
【０００２】
【従来の技術】
図９は従来例を示しており、モップを取り付けるヘッド５１と、柄５２を備えており、ヘッド５１は、弾性板状のモップ保持片５３と、該モップ保持片５３の一端から湾曲状に反転して一定長さ延びる腕部５５とを備え、全体として鉤状に形成されている。
【０００３】
柄５２は、ジョイントキャップ５６を介して腕部５５の先端部に完全に固定されており、モップ保持片５３の基端部にはクランプ５８が設けられている。クランプ５８はヒンジピン５７に回動可能に支持されると共にばねにより矢印Ｒ２方向に付勢され、モップＭの袋状挿入部６１をモップ保持片５３との間で挟持するようになっている。
【０００４】
モップ保持片５３と柄５２とのなす角度θ２は、７０°程度に設定されており、柄５２を床面Ｆに対して垂直姿勢とした時に、モップ保持片５２が前下がり姿勢となり、床面Ｆとの角度θ１が２０°程度となるようにしている。
【０００５】
このように、ヘッド５１を、湾曲状部分５５ａを介して鉤状に形成すると共に、柄５２とモップ保持片５３との角度θ２を、７０°程度に設定していると、柄５２を床面Ｆに対して垂直姿勢にして清掃する場合に、ヘッド５１の弾力を有効に利用して、モップＭの下面を一定の圧力で床面に接触させ、綺麗に清掃することができる。
【０００６】
【発明が解決しようとする課題】
しかし、柄５２を腕部５５に完全に固着してあると、たとえばベッドの下等、低くて奥行きのある場所を清掃する場合、または箪笥間等の細い隙間を清掃する場合に、ヘッド５１の先端が浮き上がってしまい、斑なくかつ効率良く清掃することは困難となる。また、図９のように腕部５５が短く、柄５２の固定位置が湾曲状部分５５ａ側に大きく片寄って位置していると、柄を立てて普通に床面を清掃する場合でも、モップ全体を均一に床面に接触させる感覚を把握することは簡単ではなく、相当注意深く押え付けておかないと、ヘッド５１の先端が浮いた状態で作業をしてしまう。
【０００７】
また、モップの抜止め機構として、図９のようなクランプ５８を備えていると、モップ装着の際には、クランプ５８を矢印Ｒ２方向に開くようにモップＭの袋状挿入部６１をヘッド５１の奥端部まで差し込み、差し込み後、クランプ５８を矢印Ｒ１方向に回動して、クランプの山越え作用により、モップＭをクランプ５８で挟持しなければならず、取付け作業に手間がかかる。また、取り外す際にも、クランプ５８を片手で操作するのは困難である。
【０００８】
【発明の目的】
本願発明の目的は、モップ着脱作業及び清掃作業の能率を向上させることであり、具体的には、ヘッドに対するモップの着脱作業を片手で簡単に行なえるようにし、さらに、箒のように床面を拭く場合及び低くて奥行きのある隙間等を拭く場合のいずれにおいても、モップの全面を床面に安定した状態で接触させ、斑なく能率よく清掃できるようにすることである。
【０００９】
【課題を解決するための手段】
上記課題を解決するため、本願請求項１記載のモップ保持具は、モップを取り付けるヘッド(1)を、柄(5,6)の端部に備えたモップ保持具において、前記ヘッド(1)は、弾性板状のモップ保持片(11)と、該モップ保持片(11)の一端から湾曲状部分(13a)を介して上方へ湾曲状に反転して一定長さ延びる腕部(13)とから、全体として鉤状に形成し、前記モップ保持片(11)と前記腕部(13)との間の内部空間に引金状レバー(15)を配置すると共に、前記腕部(13)の前記湾曲状部分(13a)近傍の下面に、支持壁(34)及び支持ピン(30)を介して前記引金状レバー(15)を回動可能に支持し、該引金状レバー(15)は、モップ抜止め用の係止爪(32)を有すると共にばね(41)でモップ保持片(11)側に付勢され、モップ挿入方向にばねに抗して回動可能であり、前記引金状レバー(15)を前記腕部(13)側へ引くことにより、前記モップ保持片(11)側から離れるように構成されている。
【００１０】
請求項２記載の発明は、請求項１記載の柄付きモップ保持具において、前記腕部(13)の先端部には回動可能な継手(3)を介して前記柄(5,6)を連結し、前記継手(3)の回動範囲を前記ヘッド(1)の前記湾曲状部分側(13)に倒伏した倒伏位置から前記モップ保持片(11)に対する仰角が６０°〜８０°程度に起立した起立位置の間で規制するストッパー機構(23,28)を設けると共に、上記回動範囲内において前記継手(3)を一定の圧力で停止保持できる停止保持機構(21,26,27)を設けている。
【００１１】
請求項３記載の発明は、請求項２記載の柄付きモップ保持具において、前記柄(5,6)の回動軸芯を、前記モップ保持片(11)の先端からモップ保持片全長の概ね１／２〜２／３の範囲内に位置させると共に、回動軸芯と前記モップ保持片(11)の基端を結ぶ線と前記モップ保持片(11)との為す角度が、４５°以内となるように位置させている。
【００１３】
【発明の実施の形態】
図１は、本願発明が適用される柄付きモップ保持具の斜視図であり、モップＭを保持するためのヘッド１と、該ヘッド１に回動可能な継手３を介して連結された柄５とから構成されており、この柄５は継手３に対して取替え自在に嵌合接続しており、必要に応じて、短いハンディ形の柄６等に差し替えることができる。ヘッド１に装着保持されるモップＭは、細長い基布１７の下面に多数のパイル１８が植設され、基布１７の上面には、袋状の挿入部１９が形成され、該挿入部１９は長さ方向の一端に開口部１９ａを有している。
【００１４】
ヘッド１は、細長く延びる弾性板状のモップ保持片１１と、該モップ保持片１１の長さ方向の一端から湾曲状に反転して一定長さ延びる腕部１３とを一体に備え、全体として鉤状（釣針形状）に形成されている。ここで、説明を容易にするために、モップ保持片１１の湾曲状部分１３ａ側の端を後端１１ａとし、自由端を前端１１ｂとして、以下、説明する。モップ保持片１１の前端１１ｂは半円形に形成され、モップＭの袋状挿入部１９に挿入し易くなっている。腕部１３の前端部は碗形に形成され、該碗形部分内に支持ピン１６を介して前記継手３が回動可能に支持されている。腕部１３とモップ保持片１１との間の空間の奥端部、すなわち湾曲状部分１３ａ近くには、モップ抜止め用の引金状レバー１５が備えられている。
【００１５】
図４は継手３の回動支持部分の縱断面拡大図（図３のIV-IV切断面における回動支持部分の断面図）であり、継手３の下端面には、支持ピン１６を中心とする円弧面２０が形成されており、該円弧面２０には、周方向に間隔を置いて複数の停止保持用溝２１が形成され、円弧面２０の前端にはストッパー用突起２３が形成されている。腕部１３の碗形部分の底壁には凹部２５が形成され、凹部２５の上側には板ばね２６が架設され、該板ばね２６の前後方向の中央部上面には停止保持用の突起２７が形成され、該突起２７は前記停止保持用溝２１に順次係合可能となっている。碗形部分の前端には前記ストッパー用突起２３に係合可能なストッパー用段面２８が形成されている。
【００１６】
継手３の回動範囲は、ストッパー用突起２３と段面２８との当接により規制されて概ね起立姿勢となる回動位置、すなわち図２に実線で示す起立位置から、仮想線で示すように湾曲状部分１３ａ側（後側）に倒伏し、概ねモップ保持片１１と平行となるように腕部１３に係止された倒伏位置の間で規制されている。上記起立位置は、モップ保持片１１に対する湾曲状部分１３ａ側からの仰角θ２が、６０°〜８０°程度となるように設定されており、該実施の形態では、上記仰角θ２は最良の角度として７０°に設定されている。したがって、柄５を垂直姿勢とした時には、モップ保持片１１は、床面Ｆに対してθ１＝２０°の傾斜角度で前下がり姿勢となる。
【００１７】
前記継手３の支持ピン１６の配置位置は、モップ保持片１１の前端１１ｂから測って、モップ支持片全長Ｗの１／２〜２／３の範囲内であって、かつ、支持ピン１６とモップ保持片１１の後端１１ａを結ぶ線Ｐ３と、モップ保持片１１との為す角度α１が、４５°（α２）以内となる範囲内である。図２の実施の形態では、支持ピン１６はモップ保持片１１の全長Ｗの中央部よりやや後方寄りに位置し、角度α１は４０°程度に設定してある。
【００１８】
図５は、図４の板ばね４１の平面形状を示しており、Ｈ形に形成されている。
【００１９】
引金状レバー１５の取付構造を説明する。図６は湾曲状部分１３ａ近傍の側面図であり、腕部１３の下面には、下方へ突出する支持壁３４が一体に形成されており、該支持壁３４の前端部に支持ピン３０が設けられ、該支持ピン３０に引金状レバー１５の前上端部が回動可能に支持されている。
【００２０】
図６のVIII-VIII断面図を示す図８において、引金状レバー１５は、左右側壁１５ａと前壁１５ｂを有し、後開きコの字状に形成され、左右の側壁１５ａ間に前記支持壁３４が入り込み、引金状レバー１５をガイドしている。引金状レバー１５の前壁１５ｂと支持壁３４の間にはばね４１が縮設され、該ばね４１の弾性力により引金状レバー１５を前下方へ付勢している。
【００２１】
図７は、湾曲状部分１３ａ近傍の縦断面図（図３のIV-IV切断面における引金状レバー部分の断面図）であり、引金状レバー１５の前壁１５ｂの下端部には後方へ突出するＵ字形連結部３３が一体に形成され、該連結部３３の前下端部には、後下方へ突出する複数のモップ抜止め用の係止爪３２が形成されている。ヘッド１の湾曲状部分１３ａには前方へ突出する左右一対ガイド３７が形成され、該ガイド３７間に前記Ｕ字形の連結部３３が配置され、前後方向移動可能にガイドされる。上記ガイド３７の前端部には左右のガイド３７を連結するレバーストッパー３８が形成されている。また、ヘッド１の湾曲状部分１３ａからモップ保持片１１の後部に亘っては、左右幅の中央部に縱長溝４０が形成されている。
【００２２】
前記ばね４１の弾性力により前下方（矢印Ａ方向）に付勢された引金状レバー１５は、前壁１５ｂの下端部がレバーストッパー３８に当接することにより係止されており、この状態で、上記縱長溝４０内に前記係止爪３２が少し入り込んでいる。
【００２３】
【作用】
まず、モップＭの装着作業を説明する。図１において、モップＭを装着する場合には、モップ保持片１１を袋状挿入部１９に開口部１９ａから差し込む。この差し込み作業において、図７の袋状挿入部１９の開口端１９ａによりモップ抜止め用の係止爪３２はばね４１に抗して引金状レバー１５と一体に後上方へ押し上げられ、装着完了時には、図６に示すように、係止爪３２はばね４１の弾性力により袋状挿入部１９の上面に圧接し、モップＭが前方へ抜け落ちないように係止する。また、モップＭの袋状挿入部１９は溝４０内に食い込んでおり、抜止め効果を一層高めている。
【００２４】
次に清掃作業を説明する。図１において、モップ保持具に長い柄５を装着し、箒のように床面を拭く場合には、図４に示すように継手３を起立位置まで回動し、ストッパー用突起２３をストッパー用段面２８に当接させる。このとき、最前端の溝２１が板ばね２６の突起２７に係合し、後方へと回動しないように一定の保持力で停止保持している。図２に実線で示すように、柄５を床面Ｆに対して略垂直姿勢とし、これによりモップ保持片１１を床面Ｆに対しθ１＝２０°の前下がり姿勢とする。
【００２５】
図２の姿勢で、柄５によって上方からヘッド１を押えると、モップ保持片１１が撓み、一定の圧力でモップＭの略全面が床面Ｆに押し付けられる。この状態で、箒を使うようにヘッド１を左右に動かして床面Ｆを拭く。
【００２６】
継手３の支持ピン１６の位置を、モップ保持片１１の全長Ｗの概ね中央部付近とし、かつ、支持ピン１６とモップ保持片１１の後端１１ａを結ぶ線Ｐ３と、モップ保持片１１との為す角度α１が、４５°（α２）以下となる範囲としているので、支持ピン１６はモップ保持片１１から離れ過ぎることはなく、かつ、モップ保持片１の前後方向長さの概ね中央部を押すことになり、モップＭの全面で床面を押す感覚が容易に得られる。したがって、清掃作業中、モップ保持片１１の前端１１ｂが浮き上がることは殆どなく、拭き斑なく、効率良く清掃することができる。
【００２７】
ベッドの下や箪笥間等の隙間を清掃する場合には、柄５を後方へ適当に回動して、回動途中あるいは倒伏位置で図４の適当な溝２１を選んで停止保持する。このように柄５を傾斜姿勢あるいは倒伏姿勢に保持した状態で、モップ保持片１１をベッド下あるいは箪笥間の隙間に差し込み、清掃を行なう。
【００２８】
なお、テレビの上あるいはサイドボードの上等を清掃する場合には、図１のハンディ形の柄６を装着し、柄６をたとえば倒伏位置まで倒し、清掃する。
【００２９】
モップＭを取り替える場合には、図２の引金状レバー１５を、ピストルの引金のように握ることにより、図６の係止爪３２を袋状挿入部１９から後上方へ離し、モップＭを前方へ引き抜く。
【００３０】
【その他の実施の形態】
（１）請求項１記載の発明は、図６のような引金状レバー１５を備えていないモップ保持具、たとえば図９のようなクランプを備えたモップ保持具にも適用可能である。
【００３１】
（２）請求項３記載の発明は、柄がヘッドに対して完全に固定されたモップ保持具にも適用可能である。
【００３２】
【発明の効果】
以上説明したように、ヘッド１を、弾性板状のモップ保持片１１と、該モップ保持片１１の一端から湾曲状に反転して一定長さ延びる腕部１３とから、鉤状に形成したモップ保持具において、
（１）請求項１記載の発明では、前記ヘッド１は弾性板状のモップ保持片１１と、該モップ保持片１１の一端から湾曲状部分１３ａを介して上方へ湾曲状に反転して一定長さ延びる腕部１３とから、全体として鉤状に形成し、モップ保持片１１と腕部１３との間の内部空間に引金状レバー１５を配置すると共に、前記腕部１３の前記湾曲状部分１３ａ近傍の下面に、支持壁３４及び支持ピン３０を介して前記引金状レバー１５を回動可能に支持し、該引金状レバー１５は、モップ抜止め用の係止爪３２を有すると共にばね４１でモップ保持片１１側に付勢され、モップ挿入方向にばねに抗して回動可能であり、引金状レバー１５を腕部１３側へ引くことにより、モップ保持片１１側から離れるように構成されているので、クランプ方式に比べて、モップＭの取付及び取外し作業が、片手で簡単に行なえる。
【００３３】
（２）請求項２記載の発明のように、請求項１記載の柄付きモップにおいて、前記腕部１３の先端部には回動可能な継手３を介して前記柄５，６を連結し、前記継手３の回動範囲を前記ヘッド１の前記湾曲状部分側１３に倒伏した倒伏位置から前記モップ保持片１１に対する仰角が６０°〜８０°程度に起立した起立位置の間で規制するストッパー機構を設けると共に、上記回動範囲内において前記継手３を一定の圧力で停止保持できる停止保持機構を設けていると、床面を拭く場合には、柄５を起立位置に回動してストッパー機構により係止し、柄５を床面Ｆに対して略垂直姿勢として、ヘッド１を下方に押えることにより、モップ保持片１１を撓ませ、一定の弾性力で簡単にモップＭの略全面を床面Ｆに押し付け、清掃することができる。これにより、床面を、斑無く、効率良く拭くことができる。
一方、ベッド下や箪笥間等の隙間を清掃する場合には、柄５を後方へ適当に回動し、停止保持した状態で行なうことにより、モップ全面を床面に接触させ、斑無く、効率良く清掃することができる。
【００３４】
（３）請求項３の発明のように、請求項２記載の発明に加え、柄５の回動軸芯（支持ピン１６）を、モップ保持片１１の先端からモップ保持片全長Ｗの概ね１／２から２／３の範囲内に位置させると共に、回動軸芯とモップ保持片１１の基端を結ぶ線とモップ保持片１１との為す角度が、４５°以内となるように位置させていると、柄５を床面Ｆに対して垂直姿勢にして、モップ保持片１１を床面Ｆに押し付けた時、均一な状態でモップ全面を床面に押し付ける感覚を容易に得られることができ、モップ保持片１１の浮き上がりを確実に無くすことができる。
【図面の簡単な説明】
【図１】  本願発明を適用したモップ保持具の全体斜視図である。
【図２】  図１のヘッド部分の側面拡大図である。
【図３】  図２のIII矢視図である。
【図４】  図３の継手部分のIV-IV断面拡大図である。
【図５】  図４の停止保持機構用ばねの平面図である。
【図６】  引金状レバー部分の拡大側面図である。
【図７】  図３の引金状レバー部分のIV-IV断面拡大図である。
【図８】  図６のVIII-VIII断面図である。
【図９】  従来例の側面図である。
【符号の説明】
１  ヘッド
３  継手
５，６  柄
１１  モップ保持片
１３  腕部
１３ａ  湾曲状部分
１６  支持ピン（回動軸芯）
２１，２６，２７  停止保持用溝、板ばね、突起（停止保持機構）
２３，２８  ストッパー用突起、段面（ストッパー機構）
３２  係止爪
【図１】
0004422854.tif 000002
【図２】
0004422854.tif 000003
【図３】
0004422854.tif 000004
【図４】
0004422854.tif 000005
【図５】
0004422854.tif 000006
【図６】
0004422854.tif 000007
【図７】
0004422854.tif 000008
【図８】
0004422854.tif 000009
【図９】
0004422854.tif 000010